(57)【特許請求の範囲】
【請求項１】
断面略く字状の本体部及び扉部を対向して設け、前記扉部の閉状態において四角柱を形成させるとともに、
前記本体部のコーナー部内側に長手方向に沿って全長に渡る仕切壁を前記本体部と一体に設け、この仕切壁の前面側にコンセントを設置可能とし、この仕切壁の背面側に配線収容部を形成したことを特徴とする、コンセント設置用ポール。
【請求項２】
前記扉部の下方には、断面略く字状の下部埋込パネルが設けられていることを特徴とする、請求項１記載のコンセント設置用ポール。
【請求項３】
前記下部埋込パネルの上端に水平な塞ぎパネルを設けたことを特徴とする、請求項２記載のコンセント設置用ポール。
【請求項４】
ポール上面をカバー体で覆うとともに、このカバー体の下面側に止水パッキンを設け、
更に前記扉部の上端を扉上部カバーで覆うとともに、この扉上部カバーの内側縁に立ち上がりを形成し、
前記扉部の閉状態において、前記立ち上がりと前記止水パッキンとが当接するように形成したことを特徴とする、請求項１〜３のいずれかに記載のコンセント設置用ポール。
【発明の詳細な説明】
【技術分野】
【０００１】
この発明は、屋外に設置されるコンセント設置用ポールに関するものである。
【背景技術】
【０００２】
屋外にコンセントを設置するための機能ポールとして、例えば特許文献１には、給電機能を有する機能ポールが提案されている。この特許文献１記載の機能ポールにおいては、給電用ボックス内部のコンセントに外部の電気コードのプラグを接続するように構成されている。
【先行技術文献】
【特許文献】
【０００３】
【特許文献１】特許第３２６１３５７号公報
【発明の概要】
【発明が解決しようとする課題】
【０００４】
しかし、上記した従来の機能ポールは、給電用ボックス内部の空間を大きく確保したり、ボックスの開口を大きく確保することを考慮したものではなかった。
【０００５】
そこで、本発明は、スリムな形状であっても、コンセント設置部分の空間を大きく確保できるとともに、扉を開放したときの開口を大きく確保することができるコンセント設置用ポールを提供することを課題とする。
【課題を解決するための手段】
【０００６】
本発明は、上記した課題を解決するためになされたものであり、以下を特徴とする。
【０００７】
（請求項１）
請求項１に記載の発明は、以下の点を特徴とする。
【０００８】
すなわち、請求項１に記載のコンセント設置用ポールは、断面略く字状の本体部及び扉部を対向して設け、前記扉部の閉状態において四角柱を形成させるとともに、前記本体部のコーナー部内側に長手方向に沿って全長に渡る仕切壁を前記本体部と一体に設け、この仕切壁の前面側にコンセントを設置可能とし、この仕切壁の背面側に配線収容部を形成したことを特徴とする。
【０００９】
（請求項２）
請求項２に記載の発明は、上記した請求項１記載の発明の特徴点に加え、以下の点を特徴とする。
【００１０】
すなわち、前記扉部の下方には、断面略く字状の下部埋込パネルが設けられていることを特徴とする。
【００１１】
（請求項３）
請求項３に記載の発明は、上記した請求項２記載の発明の特徴点に加え、以下の点を特徴とする。
【００１２】
すなわち、前記下部埋込パネルの上端に水平な塞ぎパネルを設けたことを特徴とする。
【００１３】
（請求項４）
請求項４に記載の発明は、上記した請求項１〜３のいずれかに記載の発明の特徴点に加え、以下の点を特徴とする。
【００１４】
すなわち、ポール上面をカバー体で覆うとともに、このカバー体の下面側に止水パッキンを設け、更に前記扉部の上端を扉上部カバーで覆うとともに、この扉上部カバーの内側縁に立ち上がりを形成し、前記扉部の閉状態において、前記立ち上がりと前記止水パッキンとが当接するように形成したことを特徴とする。
【発明の効果】
【００１５】
請求項１に記載の発明は上記の通りであり、断面略く字状の本体部及び扉部を対向して設け、前記扉部の閉状態において四角柱を形成させるとともに、前記本体部のコーナー部内側に長手方向に沿って仕切壁を設け、この仕切壁の前面側にコンセントを設置可能とした。このため、仕切壁の前面側はコンセントを設置するための空間として使用できるとともに、仕切壁の背面側はコンセントから配設されるケーブル類を収容する空間として使用でき、コンセントの設置と配線とがコンセント設置用ポール内で完結するとともに、このコンセント設置用ポールを簡易な構成で提供できる。
【００１６】
また、本体部のコーナー部内側に仕切壁を設けたため、四角柱を斜めに区切るように仕切壁が設けられて内部空間を分割することとなっている。これにより、スリムな形状であっても、コンセント設置部分の空間を大きく確保できるとともに、扉を開放したときの開口を大きく確保することができる。
【００１７】
また、本体部のコーナー部内側に長手方向に沿って仕切壁を設け、この仕切壁の前面側にコンセントを設置可能としたため、扉部を開放したときの開口正面にコンセントの取り付け面がくるようになっている。このため、充電等の操作がし易い構造となっている。
【００１８】
また、請求項２に記載の発明は上記の通りであり、前記扉部の下方には、断面略く字状の下部埋込パネルが設けられている。このため、下部埋込パネルを地中に埋設してポールを固定したときに、下部埋込パネルの上部付近が地上に露出しても、扉部と下部埋込パネルとが一体形成されているように看取され、デザイン性の良いコンセント設置用ポールを提供できる。
【００１９】
また、請求項３に記載の発明は上記の通りであり、下部埋込パネルの上端に水平な塞ぎパネルを設けている。このため、下部埋込パネルの内部への装置の落下を防止することができる。また、下部埋込パネルの上に物を載置することもできる。
【００２０】
また、請求項４に記載の発明は上記の通りであり、扉部の閉状態において立ち上がりと止水パッキンとが当接するように形成したため、カバー体に設けた止水パッキンと扉上部カバーとの干渉を高めることができ、ポール内部への水の浸入を確実に防ぐことができる。
【図面の簡単な説明】
【００２１】
【図１】本発明の実施の形態であって、コンセント設置用ポールの外観図である。
【図２】本発明の実施の形態であって、（ａ）コンセント設置用ポールの扉部が閉状態の横断面図（図１におけるＣ断面図）、（ｂ）コンセント設置用ポールの扉部が開放状態の横断面図、である。
【図３】本発明の実施の形態であって、コンセント設置用ポールの内部構造を示す説明図（図２（ａ）のＤ方向から見た図）である。
【図４】本発明の実施の形態であって、（ａ）コンセント設置用ポールの上部を拡大した縦断面図（図１におけるＡ部分拡大図）、（ｂ）コンセント設置用ポールの上部の横断面図、である。
【図５】本発明の実施の形態であって、コンセント設置用ポールの上端部の構造を示す説明図である。
【図６】本発明の実施の形態であって、コンセント設置用ポールの下部を拡大した縦断面図（図１におけるＢ部分拡大図）である。
【図７】本発明の実施の形態であって、コンセント設置用ポールの下部の横断面図（図６におけるＦ断面図）である。
【図８】本発明の実施の形態であって、コンセント設置用ポールの更に下部の横断面図（図６におけるＧ断面図）である。
【発明を実施するための形態】
【００２２】
以下、本発明の実施形態について図を参照しながら説明する。
【００２３】
（コンセント設置用ポール１０）
本実施形態に係るコンセント設置用ポール１０は、電気自動車の充電や芝刈り機への給電などに使用するための電源コンセントを屋外に設置するためのものであり、図１及び図２に示すように、下部が地中に埋め込まれて立設される四角柱状である。このコンセント設置用ポール１０は、コンセント設定以外の機能を持たない独立型のポールである。
【００２４】
このコンセント設置用ポール１０は、背面側に設けられた断面略く字状の本体部１１と、この本体部１１に対向するように設けられる扉部２０及び下部埋込パネル３０と、を備えている。
【００２５】
（本体部１１）
本体部１１は、内部にコンセント等の装置を固定するためのものであり、図１に示すように、下端が地中に埋設されて固定される。
【００２６】
この本体部１１は、コンセント設置用ポール１０の背面側の２つの側壁面を構成しており、図２に示すように、断面略く字状の部材である。
【００２７】
（扉部２０）
扉部２０は、本体部１１の正面側に開閉自在に取り付けられる部材であり、図２に示すように、断面略く字状の部材である。
【００２８】
この扉部２０は、図１に示すように、本体部１１の側端縁にヒンジ２３で固定されており、把手２４を押引することにより、左右に回動可能となっている。なお、この把手２４にはダイヤル錠が設けられており、このダイヤル錠により施錠することで、コンセントを他人に勝手に使用されたりするのを防止することができるようになっている。
【００２９】
なお、本実施形態においては、図１に示すように、扉部２０を右勝手としているが、左勝手の扉部２０を使用してもよい。すなわち、本実施形態に係る本体部１１及び扉部２０は、図２に示すように左右が対称に形成されているため、扉部２０を上下逆にして本体部１１に取り付けることで、左勝手とすることができる。
【００３０】
（下部埋込パネル３０）
下部埋込パネル３０は、本体部１１の下端付近に固定されて地中に埋設される部材であり、図８に示すように、扉部２０と同様の断面略く字状の部材である。なお、この下部埋込パネル３０は、図１に示すように、すべてが地中に埋設されるわけではなく、上部付近が地上に露出している。
【００３１】
この下部埋込パネル３０は、図１に示すように、扉部２０の下方おいて、本体部１１の正面側に固定されている。下部埋込パネル３０は、前述した扉部２０と外壁面が同一平面となるように形成されているため、扉部２０を閉じた状態においては、図１及び図２（ａ）が示すように、コンセント設置用ポール１０は四角柱を形成するようになっている。このため、地上に露出している下部埋込パネル３０は、あたかも扉部２０と一体形成されているように看取され、シンプルですっきりとしたデザインとなっている。
【００３２】
（コンセント設置用ポール１０の内部構造）
次に、コンセント設置用ポール１０の内部構造について説明する。
【００３３】
前述したように、本実施形態に係るコンセント設置用ポール１０は、前記扉部２０の閉状態において四角柱を形成している。すなわち、図２（ａ）に示すように、本体部１１の２つの側壁が直交して設けられていることにより形成されたコーナー部１２と、扉部２０の２つの側壁が直交して設けられていることにより形成された扉角部２１と、が対向するように設けられて、内部が中空の略正四角柱を形成している。
【００３４】
この略正四角柱の中空内部には、図２（ａ）に示すように、本体部１１のコーナー部１２内側に長手方向に沿って仕切壁１４が設けられている。なお、この仕切壁１４はコンセント設置用ポール１０の全長に渡って形成されている。
【００３５】
この仕切壁１４が設けられていることにより、図２（ａ）に示すように、仕切壁１４の前面側には、コンセントを設置可能な空間であるコンセント設置部１７が形成されるとともに、仕切壁１４の背面側には、コンセントから配設されるケーブルなどを収容するための空間である配線収容部１６が形成されている。このため、簡易な構成でコンセントの設置と配線とを行うことができるようになっている。なお、配線収容部１６には、図２に示すように、ケーブルなどを通すためのＣＤ管５４が設けられている。
【００３６】
また、この仕切壁１４の前面側にコンセントを設置可能としたため、図２（ｂ）に示すように、扉部２０を開放したときの開口１３正面にコンセントの取り付け面がくるようになっている。このため、扉部２０を開放した状態での充電等の操作がし易い構造となっている。
【００３７】
このコンセント設置部１７には、図３に示すように、電気自動車充電プラグ５０や、２００Ｖ用コンセント５１、１００Ｖ用コンセント５２、タイマー５３などが設置されている。なお、タイマー５３は、２００Ｖ用コンセント５１と接続コードを介して接続されるものであり、設定された時間が経過した後に給電が開始するように設定できるものである。このタイマー５３を使用すれば、例えば料金的に有利な深夜電力を利用するように設定することもできる。
【００３８】
これらの装置は、図３に示すように、縦方向に配置されており、縦長のコンセント設置部１７の空間を有効に利用できるように配置されている。
【００３９】
また、これらの装置は、図２（ａ）に示すように、仕切壁１４の前面側に固定されている。なお、図２（ａ）に示すように、仕切壁１４の前面側には縦溝１５が形成されており、この縦溝１５にコード巻き用フック５５がネジ止めされている。この仕切壁１４の縦溝１５は、後述するようにコンセント設置用ポール１０の上面へのカバー体４０の取り付けにも使用される。なお、この縦溝１５に取り付ける装備としては、コード巻き用フック５５に限らず、例えばこの縦溝１５に棚板などを取り付けてもよい。
【００４０】
（コンセント設置用ポール１０の上部構造）
次に、コンセント設置用ポール１０の上部構造について説明する。
【００４１】
本実施形態に係るコンセント設置用ポール１０の上面には、図４（ａ）に示すように、カバー体４０が設けられており、このカバー体４０がコンセント設置用ポール１０の上面をすっぽりと覆うことで、水がコンセント設置用ポール１０の内部に入り込まないように形成されている。
【００４２】
このカバー体４０は、図５に示すように、下方に突出する取付脚部４２及び取付リブ４３を備えている。この取付脚部４２及び取付リブ４３は、本体部１１の上面側から挿入されて、本体部１１と嵌合するようになっており、その上でネジで固定される。このネジ固定によって、カバー体４０は本体部１１に取り付けられている。
【００４３】
なお、取付リブ４３は、縦溝１５の内側から挿入されたネジによって固定される。これにより、図５に示すように、このネジのネジ頭が縦溝１５内に埋没するようになっており、コンセント設置部１７の方にネジ頭が突出しないようになっている。
【００４４】
また、このカバー体４０の下面側には止水パッキン４１が設けられており、コンセント設置用ポール１０の内部への水の浸入を防ぐようになっている。詳しくは、図５の斜線部に示すように、カバー体４０の下面と本体部１１の上面との間に止水パッキン４１が設けられるとともに、取付脚部４２の外側（扉部２０が当接する側）にも止水パッキン４１が設けられている。
【００４５】
この取付脚部４２の外側に設けられた止水パッキン４１は、後述する上部立ち上がり２２と干渉することにより、コンセント設置用ポール１０の内部への水の浸入を防ぐものである。すなわち、図４（ａ）及び（ｂ）に示すように、扉部２０の上端には扉上部カバー２５が設けられており、この扉上部カバー２５の内側縁が上方に折り曲げられて上部立ち上がり２２を形成しており、この上部立ち上がり２２が止水パッキン４１と当接することにより、コンセント設置用ポール１０の内部への水の浸入を防ぐようになっている。
【００４６】
（コンセント設置用ポール１０の下部構造）
次に、コンセント設置用ポール１０の下部構造について説明する。
【００４７】
本実施形態においては、図６に示すように、扉部２０の下方に下部埋込パネル３０が設けられているが、連続的に配置されるのではなく、間隙３２を設けて配置されている。
【００４８】
図７は、この間隙３２の上方における横断面図であり、この図７が示すように、扉部２０の下面側には底板が設けられておらず、下部が開口するようになっている。すなわち、コンセント設置部１７内のコンセントに接続したコード類は、この下部開口から扉部２０の下に抜けられるようになっている。このため、扉部２０を閉めた状態でも、コンセントに接続したコード類を前述した間隙３２から外部に出すことができる。
【００４９】
なお、扉部２０の下端には、図７に示すように、扉下部カバー２６が設けられている。この扉下部カバー２６は、扉部２０の上端に設けられた扉上部カバー２５とは異なり、扉角部２１の下端付近を覆う保護板２７を有している。この保護板２７を設けたことにより、前述した間隙３２から外部に出すコード類が扉部２０の縁に擦れて損傷することを防止できる。
【００５０】
また、図８は、間隙３２の下方における横断面図であり、この図８が示すように、下部埋込パネル３０の上端には、水平なパンチングメタルである塞ぎパネル３１が設けられている。このため、この埋込パネル３０がコンセント設置部１７の底面を構成するようになっており、言い換えると、この埋込パネル３０で区画された上の部分がコンセント設置部１７として使用されるようになっている。これにより、下部埋込パネル３０の内部への装置の落下を防止できるとともに、この下部埋込パネル３０の上に物を載置することもできる。
【００５１】
なお、この下部埋込パネル３０は、図８に示すように、配線収容部１６には設けられていない。よって、配線収容部１６に配線されたケーブルは、下部埋込パネル３０に遮られることがなく、地中まで配線できるようになっている。
【００５２】
以上のように、本実施形態によれば、仕切壁１４の前面側はコンセントを設置するためのコンセント設置部１７として使用するとともに、仕切壁１４の背面側はケーブル類を収容する配線収容部１６として使用しており、コンセントの設置と配線とがコンセント設置用ポール１０内で完結しているとともに、このコンセント設置用ポール１０を簡易な構成で提供している。
【００５３】
また、本体部１１のコーナー部１２内側に仕切壁１４を設けたため、四角柱を斜めに区切るように仕切壁１４が設けられて内部空間を分割することとなっている。これにより、スリムな形状であっても、コンセント設置部１７を大きく確保するとともに、扉部２０を開放したときの開口１３を大きく確保している。
【００５４】
また、本体部１１のコーナー部１２内側に長手方向に沿って仕切壁１４を設け、この仕切壁１４の前面側にコンセントを設置可能としたため、扉部２０を開放したときの開口１３正面にコンセントの取り付け面がくるようになっている。このため、充電等の操作がし易い構造となっている。
【００５５】
なお、本実施形態に係るコンセント設置用ポール１０は、コンセント設置用として使用する場合のみならず、例えば消化器の収納ボックスなどとして使用することもできる。
【符号の説明】
【００５６】
１０  コンセント設置用ポール
１１  本体部
１２  コーナー部
１３  開口
１４  仕切壁
１５  縦溝
１６  配線収容部
１７  コンセント設置部
２０  扉部
２１  扉角部
２２  上部立ち上がり
２３  ヒンジ
２４  把手
２５  扉上部カバー
２６  扉下部カバー
２７  保護板
３０  下部埋込パネル
３１  塞ぎパネル
３２  間隙
４０  カバー体
４１  止水パッキン
４２  取付脚部
４３  取付リブ
５０  電気自動車充電プラグ
５１  ２００Ｖ用コンセント
５２  １００Ｖ用コンセント
５３  タイマー
５４  ＣＤ管
５５  コード巻き用フック
【図１】
0005606135.tif 000002
【図２】
0005606135.tif 000003
【図３】
0005606135.tif 000004
【図４】
0005606135.tif 000005
【図５】
0005606135.tif 000006
【図６】
0005606135.tif 000007
【図７】
0005606135.tif 000008
【図８】
0005606135.tif 000009